(57)【要約】      （修正有）【課題】パチンコ台枠の取付け工事において、傾斜測定器をパチンコ台枠に仮止めできるようにし、取付け工事の作業効率の向上と、高い精度での取付けを行える傾斜測定器の把持具を提供する。【解決手段】傾斜測定器１２の把持具１７は、傾斜測定器１２がパチンコ台枠３に仮止めされた状態で、止着作業が行えるようにしたものであり、支持部材１８と、傾斜測定器１２の取付け手段１９と、板バネ２０とで構成している。取付け手段１９は、支持部材１８の上下端部に上下一対で設けられ、傾斜測定器１２を支持部材１８に取付けるものであり、水平部２３と垂下部よりなるアングル型の取付け部材２５と、垂下部の螺子穴に螺着した取付けボルト２７と、係止部材２８とで構成している。【選択図】図２
0003230266.tif 000002
【実用新案登録請求の範囲】
【請求項１】
パチンコ台が装着されるパチンコ台枠に、傾斜測定器を仮止めする把持具であり、
この把持具は、
前端面を測定面とし、他方、後端面を前端面と平行に形成して傾斜測定器の取付け面とするとともに、上下端部には傾斜測定器の取付け手段を止着した支持部材と、
前記傾斜測定器の取付け手段と、
前記支持部材の左右両側面に止着された基部と、この基部と一体で形成されるとともに支持部材の測定面の前方において左右に相対して設けられた挟持部とよりなる板バネと、
で構成されるとともに、
一方、支持部材は傾斜測定器の取付け面に、傾斜測定器が当接されるとともに、前記取付け手段によって取付けられ、
当該傾斜測定器をパチンコ台枠に仮止めするにあたり、
パチンコ台枠の縦桟の後端部の左右側面に前記板バネの挟持部を被嵌して、パチンコ台枠の縦桟の後端面に支持部材の測定面を当接し、板バネの押圧部でパチンコ台枠の左右側面を弾機的に押圧挟持して、傾斜測定器をパチンコ台枠に仮止めすることを特徴とする傾斜測定器の把持具。
【請求項２】
前記板バネは、
挟持部の先端部を、相互が相対する向きに曲折して押圧部を形成したことを特徴とする前記請求項１に記載の傾斜測定器の把持具。
【請求項３】
前記板バネは、
挟持部にコ型溝を穿設するとともに、コ型溝の内側の先端部を相互が相対する方向に曲折して押圧部を形成したことを特徴とする前記請求項１に記載の傾斜測定器の把持具。
【請求項４】
前記板バネは、押圧部の先端縁が、支持部材の測定面と僅かな間隔で相対するようにして、支持部材の左右側面に基部を止着したことを特徴とする前記請求項１乃至、請求項３に記載の傾斜測定器の把持具。
【請求項５】
前記板バネの押圧部の先端部を一体で連続して水平部を形成したことを特徴とする前記請求項１乃至、請求項４に記載の傾斜測定器の把持具。
【請求項６】
前記傾斜測定器の取付け手段は、
前記支持部材の上下端部に止着した水平部と、この水平部と一体で曲折して支持部材における傾斜測定器の取付け面に相対して垂下部を形成したアングル型の取付け部材と、
前記傾斜測定器の取付け面に螺子先端が対向するようにして、前記垂下部に螺着された取付けボルトと、
前記傾斜測定器の後端部に被嵌して設けられ、前記取付けボルトの螺子先端と相対する個所に係止部が形成された係止部材と、
で構成され、
前記支持部材における傾斜測定器の取付け面と、前記取付けボルトの螺子先端との間に、前記係止部材が被嵌された傾斜測定器を配置し、支持部材の取付け面に傾斜測定器の測定面を当接するとともに、前記取付けボルトを緊締して、当該取付けボルトの螺子先端で前記係止部材の係止部を押圧して、当該傾斜測定器を支持部材に取付けることを特徴とする前記請求項１に記載の傾斜測定器の把持具。
【考案の詳細な説明】
【技術分野】
【０００１】  この考案はパチンコ台が取付けられるパチンコ台枠の傾斜角度を測定する傾斜測定器をパチンコ台枠の縦桟に仮止めする把持具に関する。
【背景技術】
【０００２】  パチンコ台は、店内に立設されているパチンコ島に取付けられるが、先ず、パチンコ島の設置区画内にパチンコ台枠を取付け、次いでこのパチンコ台枠にパチンコ台が取り付けられる。
パチンコ台はパチンコ台枠に向かって左端を支点として開扉自在に取付けられ、また、パチンコ台枠の前側に閉扉して施錠された状態で上部が後方に後退した傾斜で設置される。
パチンコ台の上記傾斜角度は１°以内の所定の角度に設定されるが、この傾斜角度はパチンコ台枠の傾斜と略一致するので、パチンコ台枠をパチンコ島に取付ける時にパチンコ台枠の取付けを所定の傾斜角度に設定すれば、他方、パチンコ台の傾斜角度を同様に設定することができる。
上記パチンコ台枠をパチンコ島に所定の傾斜角度で取付けするには、パチンコ台枠の縦桟の後端面に傾斜測定器を手であてて、パチンコ台枠の傾斜を設定した後に、当該パチンコ台枠を、ビスによる止着もしくはその他の手段でパチンコ島に固定する。
而して、上記のパチンコ台枠の取付けは、一方の手でパチンコ台枠の後端に傾斜測定器を当接して、他方の手で、パチンコ台枠を押さえて傾斜を確認しながらビスを止着するなど、当該作業は熟練が必要であり、また測定不良を原因としてパチンコ台枠が所与の傾斜に設定できていない場合もあった。【０００３】  この考案の目的は、上述の従来問題点の解決にあり、パチンコ台枠の取付け工事において、傾斜測定器がパチンコ台枠に仮止めできるようにするとともに、この仮止めが簡易で確実にできるような把持具を提供して、パチンコ台枠の取付け工事の作業効率の向上と、パチンコ台枠の傾斜角度の設定が高い精度で行なえるようにすることを第一の目的とし、第ニには、パチンコ台枠にパチンコ台が取付けされた状態で、当該パチンコ台枠の傾斜が測定できるようにして、パチンコ台枠に装着されているパチンコ台を外さなくてもパチンコ台の傾斜角度が測定できるようにした、パチンコ台枠の把持具を提供することを目的としている。
【先行技術文献】
【特許文献】
【０００４】
【特許文献１】実用新案登録第３１１６３５６号
【考案の概要】
【考案が解決しようとする課題】
【０００５】  特許文献１の傾斜測定器の担持具は、パチンコ台枠の傾斜を測定する傾斜測定器をパチンコ台枠の縦桟に担持する担持具であって、傾斜器収納部に傾斜測定器が収納された状態でパチンコ台枠の縦枠の前面と後面を、前方挟持具と後方挟持具で挟んで傾斜測定器をパチンコ台枠に取付けてこの傾斜が測定できるようにしている。
一方、傾斜測定器はガラス気泡管が、上部個所から下部個所に水平角度を順次変えて間隔的に取付けられ、気泡管内部の気泡が、気泡管の中心に位置する気泡管の傾斜の数値を確認することで、パチンコ台枠の傾斜が確認できる。
また、この担持具はパチンコ台枠の左右縦桟の内側に仮止めするものであり、他方、傾斜測定器の気泡管は左右両側から確認ができるようにしているので、パチンコ台枠の左右の縦桟の傾斜を測定するには、左右の測定の都度にこの担持具を付け替える必要がある。
一方、パチンコ台は１店舗あたり平均３００台程度設置されているものであり、このような上記の付け替え作業は煩雑で作業効率が悪く現実の利用には適さない。
また、傾斜測定器およびこの担持具を右用と左用として２セット用意すれば上記問題が解決できるが、気泡管の傾斜測定器は室温や保管情況等で誤差が生じ易く２台の傾斜測定器を同一の傾斜精度で保持することは難しく、パチンコ台の傾斜が右側と左側で異なり、パチンコ台が捩れた状態で取付けられ原因にもなりやすい。【０００６】  また、パチンコ台枠の縦桟の傾斜の測定、即ち、パチンコ台の傾斜の測定は、パチンコ台枠の設置時だけではなくパチンコ台の設置後においても必要となる。
パチンコ台は設置後において、取付け不良や、内部点検持の開扉操作によって傾斜が変化する場合が多く、その都度にパチンコ台を開扉してパチンコ台枠の縦桟の傾斜を確認しながら、新たに取付けなおすものであるが、当該担持具はこのようにパチンコ台を開扉した状態において、当該担持具を用いて傾斜を測定することができない。
即ち、パチンコ台が枢支されている左側のヒンジ個所は、パチンコ台が開扉した状態でパチンコ台枠の縦桟の前端と僅かな間隙が保持されているのみで、当該担持具の弾性部材を取付けることができない。
従って、当該保持具では、パチンコ台を開扉した状態で、パチンコ台枠の左側縦桟の傾斜を測定することができない。
【課題を解決するための手段】
【０００７】  前記課題を解決するため、この考案の傾斜測定器のパチンコ台枠の傾斜測定器の把持具は、パチンコ台が装着されるパチンコ台枠に、傾斜測定器を仮止めする把持具であり、この把持具は、前端面を測定面とし、他方、後端面を前端面と平行に形成して傾斜測定器の取付け面とするとともに、上下端部には傾斜測定器の取付け手段を止着した支持部材と、前記傾斜測定器の取付け手段と、前記支持部材の左右側面に止着された基部と、この基部と一体で形成されるとともに支持部材の測定面の前方において左右に相対して設けられた挟持部とよりなる板バネと、で構成されるとともに、一方、支持部材は傾斜測定器の取付け面に、傾斜測定器が当接されるとともに、前記取付け手段によって取付けられ、当該傾斜測定器をパチンコ台枠に仮止めするにあたり、パチンコ台枠の縦桟の後端部の左右側面に前記板バネの挟持部を被嵌して、パチンコ台枠の縦桟の後端面に支持部材の測定面を当接し、板バネの押圧部でパチンコ台枠の左右外側面を弾機的に押圧挟持して、傾斜測定器をパチンコ台枠に仮止めするようにした。【０００８】  また、前記板バネは、挟持部の先端部を、相互が相対する向きに曲折して押圧部を形成するようにした。【０００９】  また、前記板バネは、挟持部にコ型溝を穿設するとともに、コ型溝の内側の先端部を相互が相対する方向に曲折して押圧部を形成するようにした。【００１０】  また、前記板バネは、押圧部の先端縁が、支持部材の測定面と僅かな間隔で相対するようにして、支持部材の左右側面に基部を止着するようにした。【００１１】  また、前記板バネの押圧部の先端部を一体で連続して水平部を形成した。【００１２】  また、前記傾斜測定器の取付け手段は、前記支持部材の上下端部に止着した水平部と、この水平部と一体で曲折して支持部材における傾斜測定器の取付け面に相対して垂下部を形成したアングル型の取付け部材と、前記傾斜測定器の取付け面に螺子先端が対向するようにして、前記垂下部に螺着された取付けボルトと、前記傾斜測定器の後端部に被嵌して設けられ、前記取付けボルトの螺子先端と相対する個所に係止部が形成された係止部材と、で構成され、前記支持部材における傾斜測定器の取付け面と、前記取付けボルトの螺子先端との間に、前記係止部材が被嵌された傾斜測定器を配置し、支持部材の取付け面に傾斜測定器の測定面を当接するとともに、前記取付けボルトを緊締して、当該取付けボルトの螺子先端で前記係止部材の係止部を押圧して、当該傾斜測定器を支持部材に取付けるようにした。
【考案の効果】
【００１３】  この考案は、上記のように構成したので、パチンコ台枠の傾斜を測定するにあたり、パチンコ台枠の縦桟の後端部の左右側面に板バネを被嵌して、この縦桟の後端面に支持部材の測定面を当接するとともに、このパチンコ台枠の後端部の左右側面を板バネで弾機的に挟持押圧して傾斜測定器を仮止めするようにしたので、パチンコ台枠の左右の縦桟の傾斜を測定するあたり、当該把持具を測定の都度に左右付け替えする必要がなく、傾斜測定作業が効率よく行なえる。【００１４】  また、パチンコ台枠に取付けられたパチンコ台の傾斜が設定値と異なる場合においても、パチンコ台をパチンコ台枠から外さなくてもパチンコ台枠の傾斜が測定できるので、パチンコ台の当該傾斜の修正作業が効率よく行なえる。【００１５】  また、パチンコ台枠の左右の縦桟の外側面は、パチンコ島の台間柱などに隣接して設置され、また、この台間柱と縦桟の外側面との間隙は極狭いものであるが、一方、この考案の把持具は、前記板バネを、前記間隙内に挿入できる厚みとして、縦桟の左右側面を押圧挟持するようにし、また、この挟持力を高めるために、前記板バネを相対する内側に曲折して押圧部を形成したので、パチンコ台枠の縦桟は、弾機的に堅固に押圧挟持されるので逸脱が防止される。
また、上記板バネは、焼入れ処理済みのベーナイト鋼板、もしくはＳＫ鋼板等を焼入れ処理して利用するようにしたので、前記間隙が極狭い場合においても、当該間隙に挿入できて、前述の弾機挟持作用に充分に対応でき、一方、当該板バネが相対する内側に押圧部を曲折形成したが、この板バネが間隙内に挿入されるにあたり、当該押圧部は間隙内で圧縮変形して前記間隙内に挿入されるので、傾斜測定器はパチンコ台枠の縦桟に一層堅固に仮止めされる。【００１６】  また、前記の板バネは、挟持部にコ型溝を穿設して、この溝の内側に押圧部を形成し、この押圧部の先端縁が支持部材の測定面より僅かな間隔を保持して相対するようにして支持部材に止着するとともに、相対する押圧部の先端がテーパー状に内側に曲折するようにして曲折形成したので、支持部材をパチンコ台枠の縦桟に仮止めするにあたり、当該板バネの押圧部は、挟持部の曲折個所からテーパー面の案内で徐々に押圧されて、支持部材の測定面が縦桟の後端面に当接して縦桟に取付けられる。
一方、当該押圧部が押圧係合するパチンコ台枠の左右側面は、木製の場合は凸凹があり、一方、アルミ製の場合は外観デザインや、軽量化などで長手成型方向にモールや凹凸面が形成されている場合が多い。
而して、この考案の把持具は、前述のように支持部材をパチンコ台枠の縦桟に仮止めするにあたり、当該板バネの押圧部が、挟持部の曲折個所からテーパー面の案内で徐々に押圧されるので、板バネの押圧部の先端が、パチンコ台枠の左右側面の前記凹凸やモール等で移動が阻止されることがなく、一方、支持部材の測定面がパチンコ台枠の縦桟の測定面に上下均等に押圧当接した状態で、支持部材に押圧向きと離反する力が加わっても、板バネの押圧部の先端が縦桟の左右側面を弾機的に押圧挟持しているので当該支持部材および支持部材の逸脱が防止される。【００１７】  また、前記把持具の取付け状態において、板バネの押圧部の先端縁が支持部材の測定面の極近傍でパチンコ台枠の縦桟の外側面を押圧挟持するようにしているので、把持部材が左右に揺れやズレるような外圧が加わっても、パチンコ台枠から逸脱することが防止された。【００１８】  また、パチンコ台枠がアルミ製の場合、この縦桟の後端部の測定面は傾斜測定器と同じ厚み（２０ｍｍ前後）を確保するために平面逆凹型に形成されるとともに、測定面の左右角部にはエッジが形成されずに凹部が形成されている場合、他方、押圧部が前述のようにテーパー状に曲折していると、この先端部が上記の凹部に押圧配置されることになり押圧力が弱かったりして、把持具の取付けが不安定となる。
而して、前記板バネの押圧部の先端部を一体的に連続して水平部を形成した実施例では、前述のように上記アルミ製の測定面の左右角部に凹部が形成されていても、この水平部が上記凹部を跨いで縦桟の側面を押圧するので、当該把持具は、パチンコ台枠の断面形状に係ることなく傾斜測定器をパチンコ台枠に仮止めすることができる。【００１９】  一方、押圧部は板バネと別体の部材を重ねずに板バネと一体の一枚板で形成したので、パチンコ台枠の縦桟の外側面とパチンコ島の台間柱との狭い隙間にも充分に挿入することができる。【００２０】  また、傾斜測定器の上下端部を、取付け手段によって支持部材に取付けるようにしたので、傾斜測定器の上下端部と支持部材の上下端部の当接の状態が同じとなり、パチンコ台枠の縦桟の後端面に傾斜測定器を直接当接して測定する場合と同程度の精度で傾斜が測定できる。
また、傾斜測定器を支持部材に取付けるにあたり、傾斜測定器の後端部に係止部材を被嵌するとともに、この係止部材の係止部を取付け螺子の螺子先端が係合して取付けるようにしたので、傾斜測定器は支持具との取付けにおいて左右に揺れたりズレることがなく堅固に固定される。
【図面の簡単な説明】
【００２１】
【図１】パチンコ台が設置されたパチンコ島の一部切り欠き正面図。
【図２】図１の縦断面図。
【図３】図２の要部拡大図。
【図４】この考案の把持具の分解斜視図。
【図５】板バネの他の実施例図。
【図６】板バネの他の実施例図。
【図７】図３のＡ−Ａ線に沿う平断面図。
【図８】図３のＢ−Ｂ線に沿う平断面図。
【図９】板バネの他の実施例を示し、支持部材が木製のパチンコ台枠に仮止めされた断面図。
【図１０】板バネの他の実施例を示し、支持部材がアルミ製のパチンコ台枠に仮止めされた断面図。
【考案を実施するための形態】
【００２２】  以下、図１〜図１０を参照してこの実施形態を説明する。
図１乃至、図３はパチンコ島１の設置区画２にパチンコ台枠３およびパチンコ台４が取付けられた状態を例示している。
パチンコ島１の設置区画２は、上架板５と膳板６および台間柱７とで形成され、また、上記のパチンコ島１にパチンコ台４を取り付けるには、設置区画２内にパチンコ台枠３を取付けた後に、このパチンコ台枠３にパチンコ台４が装着される。
上記パチンコ台枠３は、木製またはアルミ製であり、上部板８と下部板９とこれらを上下に接続した左右の縦桟１０とで方形の枠形状に構成されるとともに、前記設置区画２内に配置した状態で、図３で示したようにこの上部板８および下部板９は、ビスやクギ等の止着手段１１、もしくは図１と、図２で示したように、パチンコ島１に事前に固定した取付け装置１１ａによってパチンコ島１に止着され、このパチンコ台枠３にパチンコ台４が開扉自在に取付けられる。
パチンコ台４は、パチンコ台枠３への装着において、このパチンコ台枠３の左の縦桟１０に設けられたヒンジ１０ａに掛止され、このヒンジ１０ａを支点として前方へ９０°程度開き、また、パチンコ台枠３の前側に閉じてこのパチンコ台枠３に施錠される。
上記パチンコ台４は、前述の取付けにおいて、図２で示したように、この上部が後方へ１°以内の範囲で傾いた傾斜で設置されるが、パチンコ台枠３の縦桟１０の後端面に傾斜測定器１２を当接し、当該傾斜角度を設定してパチンコ台枠３を所定の傾斜角度でパチンコ島１に取付け、このパチンコ台枠３にパチンコ台４を取付けられることで、パチンコ台４はパチンコ台枠３と略同一の傾斜で設置される。
【００２３】  傾斜測定器１２は、長尺な扁平四角管の左右の面に間隔的に窓１３を穿設し、この窓１３内に気泡管１４が設けられた構成であり、気泡管１４は上部から下部に順次に水平角度を所定間隔で変えて取付けられている。
パチンコ台枠３の傾斜は、図２で示したようにパチンコ台枠３の縦桟１０の後端面の下端を始点とした鉛直線Ｃの終点Ｄと、縦桟１０の後端面の延長線Ｅの終点Ｆとの水平距離Ｇを、分厘単位で傾斜を表示するものであり、一般的には２分から５分程度まで５厘間隔の所定の傾斜で取付けられ、他方、この傾斜を測定する傾斜測定器１２の気泡管１４の水平角度が、上部から下部にかけて５厘間隔で順次変えて設けられ、夫々の気泡管１４のうち、中心に気泡が位置した気泡管１４によって当該傾斜角度が測定できるようにしている。
上記の傾斜測定器１２は前面と後面を平行に形成され、従来、パチンコ台枠３の傾斜を測定するには、パチンコ台枠３の左右の縦桟１０の後端面１５に傾斜測定器１２を手で当接して測定していた。
【００２４】  この考案のパチンコ台枠３の把持具１７は、前述のパチンコ台枠３の取付けにおいて、傾斜測定器１２をパチンコ台枠３に仮止めできるようにして、当該作業を簡便にして作業効率および計測精度の向上を計るもので、この把持具１７は、図１乃至、図８で示したように、支持部材１８と、傾斜測定器１２の取付け手段１９と、板バネ２０とで構成している。
支持部材１８は、アルミ製等の長尺な中空四角管であり、この前端面と後端面を平行に形成して、前端面を測定面２１とし、後端面を傾斜測定器１２の取付け面２２としている。
傾斜測定器１２の前記取付け手段１９は、支持部材１８の上下端部に上下一対で設けて傾斜測定器１２を支持部材１８に取付けるものであり、水平部２３と垂下部２４よりなるアングル型の取付け部材２５と、垂下部２４の螺子穴２６に螺着した取付けボルト２７と、後述の係止部材２８とで構成している。
【００２５】  上記取付け部材２５の水平部２３は、先端部を下方に曲折するとともに、この曲折部に案内穴２９を穿設して止着部３０を形成し、この止着部３０を支持部材１８の上下端の内側に挿入して、支持部材１８の傾斜測定器の取付け面２２の内側に止着するが、他方、Ｌ型板のエンドキャップ３１の止着部３２を、前記止着部３０と相対するようにして同様に支持部材１８の上下端部の内側に挿入し、エンドキャップ３１の水平部で支持部材１８の上下端部を塞ぎ、螺子３３を、支持部材１８の透穴３４および取付け部材２５の案内穴２９を介してエンドキャップ３１の螺子穴３２ａに螺着して、取付け部材２５を支持部材１８に止着している。
上記の螺子３３の螺着操作をドライバーで行うにあたり、取付け部材２５の垂下部２４に穿設した、螺子３３の頭部より径大な透窓２４ａを介して、エンドキャップ３１を螺着できるようにしている。
上記実施例は支持部材１８に取付け手段１９を止着する止着構造の一例を示し、図示はしていないが支持部材１８の上下端部に取付け部材２５が止着できる構造であればこれらの実施例に限定しない。
【００２６】  次ぎに、前述の取付け手段１９によって傾斜測定器１２を支持部材１８に取付けるには、傾斜測定器１２を前記取付けボルト２７の螺子先端と支持部材１８の取付け面２２の間に配置して、傾斜測定器１２の測定面１６を支持部材１８の取付け面２２に当接した状態で、取付けボルト２７を回してこの螺子先端で傾斜測定器１２を固定するが、一方、傾斜測定器１２はこの固定状態のままでは左右にズレて脱落する恐れがある。
前記コ型の係止部材２８は上記問題解決のために設けたもので、前記取付けボルト２７の螺子先端が対応する傾斜測定器１２の後部個所に係止部材２８を被嵌し、この係止部材２８に形成した、穴もしくは凹状の係止部２８ａを取付けボルト２７の先端に相対して、前記同様に取付けボルト２７を回し、この螺子先端を係止部２８ａに押圧係合することで、傾斜測定器１２は左右にズレずに支持部材１８に取付けられる。
一方、取付けボルト２７には、ボルト頭部と取付け部材２５の垂下部２４との間に緩み止めバネ３６を装着して、上記で取付けされた傾斜測定器１２の測定面１６と支持部材１８の取付け面２２との当接状態が変らないようにしている。
【００２７】  ２０は、バネ板材もしくは焼入れで形成した板バネを示し、支持部材１８の上下個所における左右側面に左右一対として相対して止着している。
この板バネ２０は、支持部材１８の左右側面に止着する基部３８と、この基部３８の止着によって支持部材１８の測定面２１の前方に対向して設けられる挟持部３９とで構成され、この基部３８は、螺子４２を止着穴４１を介して支持部材１８の螺子穴４３に螺着して支持部材１８に止着している。
また、挟持部３９は、コ型の溝４４を形成してこの溝４４の内側を押圧部４５とするとともに、この押圧部４５の先端部４６を相対する内側方向にテーパー状に曲折し、一方、基部３８の止着において、先端縁４６が支持部材１８の測定面２１と僅かな間隔Ｈを保持するようにして止着している。
【００２８】  上述で傾斜測定器１２が取付けられた把持具１７を、パチンコ台枠３の縦桟１０に仮止めするには、先ず、パチンコ台枠３の後端部に、この板バネ２０を押圧部４５のテーパー形状の案内によって被嵌し、次いで、支持部材１８の測定面２１をパチンコ台枠３の後端面１５に当接すると、図７で示したように、板バネ２０の押圧部４５がパチンコ台枠３の左右側面を弾機的に押圧して、パチンコ台枠３の後端面１５に支持部材の１８の測定面２１が密着して押圧された状態でパチンコ台枠３に仮止めされ、また、支持部材１８を外側方向（図７では右方向）に移動させて、上記の仮止めを解除することができる。
パチンコ台枠３の縦桟１０は、図１に示したように、パチンコ島１の設置区画２内に取付けられた状態で、左右の縦桟１０の外側面は、パチンコ台枠３が取外しできるように、台間柱７と僅かな間隙で接しているので、上記支持部材１８のおよび傾斜測定器１２の仮止めにおいて、支持部材１８の外側の板バネ２０を前記間隙に差し込むことで、この押圧部４５は圧縮押圧されてテーパー状から水平に変形して、パチンコ台枠に当該把持部が堅固に付けられて、傾斜測定器を確実に仮止めすることができる。
【００２９】  板バネ２０は、１ｍｍ〜０．８ｍｍ程度のバネ材で構成しているので、前記台間柱７と縦桟１０の間隙がこの厚みより狭い場合は、板バネを間隙内にムリバメすることで、パチンコ台枠３の縦桟１０が板バネ２０の厚み程度内側に撓んでこの把持具１７が取付けられる。
また、図８は、パチンコ台枠３がアルミ材質の場合を示し、この縦桟１０の後端面１５は傾斜測定器１２が当接されるうえで、木製と同じ厚み（２０ｍｍ前後）を確保するために平面逆凹型に形成されている。
一方、前記板バネ２０の押圧部４５の先端部を一体的に連続して水平部４７を形成した実施例では、前述のように上記アルミ製の支持部材１８の後端面１５の左右角部に凹部４７が形成されていても、この水平部４７が上記凹部４８を跨いで縦桟１０の側面を弾機的に押圧するので、当該把持具１７は、パチンコ台枠３の外側面の凹凸に係ることなく傾斜測定器１２をパチンコ台枠３に仮止めすることができる。
【００３０】  また、図７および、図８で示したように、板バネ２０の押圧部４５は板バネ２０と別体の部材を積合せずに、板バネ２０と一体の一枚板で形成したので、パチンコ台枠３の縦桟１０の外側面とパチンコ島１の台間柱７との狭い間隙にも充分に挿入することができる。
【００３１】  図５および図６は、板バネ２０の他の実施例を示し、図５の板バネ２０ａは前述と同様に、止着穴４１を穿設した基部３８の先端部を内側に曲折して押圧部４５を形成し、また、図６の板バネ２０ｂは、図５の板バネ２０ｃの押圧部４５の先端縁４６を一体で延長して水平部４７を形成し、双方の板バネ２０ｄ、２０ｃは前記同様にして支持部材１８に止着してパチンコ台枠３に仮止めができるようにしている。
【００３２】図９は、板バネ２０の他の実施例を示し、当該板バネ２０ｃは止着穴４１を穿設した基部３８の先端部を、支持部材１８と相対する向きにテーパー状に曲折して押圧部４５を形成して支持部材１８を弾機的に押圧して支持部材１８および傾斜測定器１２が仮止めできるようにしている。
【００３３】図１０は、板バネ２０の他の実施例を示し、当該板バネ２０ｄは止着穴４１を穿設した基部３８の先端部を、支持部材１８と相対する向きにテーパー状に曲折して押圧部４６を形成するとともに水平部４７を一体で形成し、この水平部４７で支持部材１８を弾機的に押圧して支持部材１８および傾斜測定器１２が仮止めできるようにしている。
【符号の説明】
【００３４】  １・・・パチンコ島
２・・・設置区画
３・・・パチンコ台枠
４・・・パチンコ台
５・・・上架板
６・・・膳板
７・・・台間柱
８・・・上部板
９・・・下部板
１０・・・縦桟
１１、１１ａ・・・取付け手段
１２・・・傾斜測定器
１３・・・窓
１４・・・気泡管
１５・・・後端面
１６・・・測定面
１７・・・把持具
１８・・・支持部材
１９・・・取付け手段
２０・・・板バネ
２１・・・測定面
２２・・・取付け面
２３・・・水平部
２４・・・垂下部
２５・・・取付け部材
２６・・・螺子穴
２７・・・取付けボルト
２８・・・係止部材
２８ａ・・・係止部
２９・・・案内穴
３０・・・止着部
３１・・・エンドキャップ
３１ａ・・・螺子穴
３２・・・止着部
３３・・・螺子
３４・・・透穴
３５・・・案内窓
３６・・・緩み止めバネ
３８・・・基部
３９・・・挟持部
４０・・・螺子
４１・・・止着穴
４２・・・螺子穴
４４・・・コ型の溝
４５・・・押圧部
４６・・・先端縁
４７・・・水平部
【図１】
0003230266.tif 000003
【図２】
0003230266.tif 000004
【図３】
0003230266.tif 000005
【図４】
0003230266.tif 000006
【図５】
0003230266.tif 000007
【図６】
0003230266.tif 000008
【図７】
0003230266.tif 000009
【図８】
0003230266.tif 000010
【図９】
0003230266.tif 000011
【図１０】
0003230266.tif 000012